(57)【要約】【課題】ＩＣタグを応用した給湯装置システムの構成では、使用者の特性に応じた設定温度等に変更する操作に課題があった。【解決手段】無線により所定の情報を受信する通信手段３と、情報を記憶する記憶手段４と、通信手段３と記憶手段４を制御する制御手段５からなるＩＣタグ２と、ＩＣタグ２と情報を送受信する情報送受信手段７と、操作部９と、情報送受信手段７を制御する機器制御手段１６とからなる給湯装置を備え、ＩＣタグ２は使用者と一体的に設け、使用者が操作部９に制御指令のトリガをかける時に給湯装置６と情報を送受信する構成としたものである。この構成により、対応する給湯装置は、使用者が操作する毎に使用者の好みの設定温度等を簡単に制御することができる。【選択図】図１
2006090629.tif 000002
【特許請求の範囲】
【請求項１】
無線により所定の情報を通信する通信手段と、前記情報を記憶する記憶手段と、前記通信手段と記憶手段を制御する制御手段とを有するＩＣタグと、前記ＩＣタグと情報を送受信する情報送受信手段と、操作部と、前記情報送受信手段を制御する機器制御手段とを有する給湯装置を備え、前記ＩＣタグは使用者と一体的に設け、使用者が前記操作部に制御指令のトリガをかける時に前記給湯装置と前記情報を送受信する構成とした給湯装置システム。
【請求項２】
給湯装置は、カレンダー機能部と、制御指令のトリガによりＩＣタグ内の情報を収集して記憶する機器記憶手段とを有し、ＩＣタグ内の記憶手段は制御履歴の情報を記憶するようにした請求項１に記載の給湯装置システム。
【請求項３】
ＩＣタグの使用者の情報を機器制御手段に登録する登録手段を有する請求項１または２に記載の給湯装置システム。
【請求項４】
給湯装置は、サービス会社の情報提供サーバーと情報通信手段を介してネットワークで接続する請求項１〜３のいずれか１項に記載の給湯装置システム。
【請求項５】
請求項１〜４のいずれか１項に記載の給湯装置システムの機能の少なくとも一部をコンピュータに実行させるためのプログラム。
【発明の詳細な説明】
【技術分野】
【０００１】
本発明は、ＩＣタグを利用した給湯装置システムおよびそのプログラムに関するものである。
【背景技術】
【０００２】
従来、この種のＩＣタグを用いた給湯装置システムはすでに知られている（例えば、特許文献１参照）。
【０００３】
図５は、特許文献１に記載された給湯装置システムを示すものである。
【０００４】
この給湯装置システムは、図に示すように、給湯装置１０１と、浴室内に設置される浴室リモコン１０２と、給湯装置１０１および浴室リモコン１０２と２芯通信線１０５により接続した台所リモコン１０３と、浴槽内の温度を検出する風呂温度検出装置１１３とを備えている。
【０００５】
台所リモコン１０３は、給湯装置１０１および浴室リモコン１０２と２芯通信線１０５により接続した通信インターフェース１０４、給湯装置１０１を制御する制御部１０６、給湯温度等を表示する表示部１０７、給湯装置１０１を操作するための操作部１０８、電磁界発生手段１１０とデータ受信部１１１を有する無線通信部１０９、データ送受信のための無線通信部１１２をそれぞれ有している。
【０００６】
また、風呂温度検出装置１１３は、風呂側の受電手段と無線通信部を内蔵したＩＣタグ１１４、通信用のコイル１１５、データを記憶する不揮発性メモリ１１７を有し風呂温度検出装置１１３を制御する制御部１１６、風呂の温度を検出するサーミスタ１１８、風呂内の湿度を検出する湿度センサ１１９、浴室リモコン１０２を操作する操作部１２０をそれぞれ有している。
【０００７】
そして、台所リモコン１０３の電磁界発生手段１１０により発生した電磁界を無線通信部１１２より発信すると、風呂温度検出装置１１３のＩＣタグ１１４がその搬送波を受けて電力に変換され、併せて制御するための受信データを受信する。風呂温度検出装置１１３は、受信データを受けるとサーミスタ１１８により検知された風呂の温度検出値を返し、浴室リモコン１０２は対応する制御を行う。また、浴室リモコン１０２の温度検出値は台所リモコン１０３へも反映される。この構成によって、実際の浴槽内の実温度検出値を知ることにより、使用者の好みの設定温度変更が容易になるというものである。
【特許文献１】特開２００３−１３９３８５号公報
【発明の開示】
【発明が解決しようとする課題】
【０００８】
しかしながら、前記従来の構成では、ＩＣタグ１１４を浴槽内に配した風呂温度検出装置１１３に設けており、実温度データを測定し確認した後、設定変更するという２段階の操作をする課題があった。また、給湯装置で設定される温度は、その設定温度に自動調整されるが、使用者毎にその設定温度は異なり、心臓に懸念される使用者はぬるめの温度設定や、健康増進のための半身浴等は、水量のデータも変更しなければならず、これらの設定値を実温度データから確認してから設定することも操作上、面倒な課題があった。さらには、給湯装置の使用者が、使用者の使用パターンによる最適な給湯装置の制御方法が提供できないという課題もあった。
【０００９】
本発明は、前記従来の課題を解決するもので、使用者の操作性の向上が図れる給湯装置システムおよびそのプログラムを提供することを目的とする。
【課題を解決するための手段】
【００１０】
前記従来の課題を解決するために、本発明の給湯装置システムおよびそのプログラムは、無線により所定の情報を通信する通信手段と、前記情報を記憶する記憶手段と、前記通信手段と記憶手段を制御する制御手段とを有するＩＣタグと、前記ＩＣタグと情報を送受信する情報送受信手段と、操作部と、前記情報送受信手段を制御する機器制御手段とを有する給湯装置を備え、前記ＩＣタグは使用者と一体的に設け、使用者が前記操作部に制御指令のトリガをかける時に前記給湯装置と前記情報を送受信する構成としたものである。
【００１１】
これにより、使用者が操作部に制御指令のトリガをかける時に給湯装置への使用者の特定を行う情報を送受信することができるので、対応する給湯装置は、使用者が操作する毎に使用者の好みの設定温度等を簡単に調整でき、使用者の操作性の向上が図れるものである。
【発明の効果】
【００１２】
本発明の給湯装置システムおよびそのプログラムは、使用者が操作する毎に使用者の好みの設定温度等を簡単に調整でき、使用者の操作性の向上が図れるものである。
【発明を実施するための最良の形態】
【００１３】
第１の発明は、無線により所定の情報を通信する通信手段と、前記情報を記憶する記憶手段と、前記通信手段と記憶手段を制御する制御手段とを有するＩＣタグと、前記ＩＣタグと情報を送受信する情報送受信手段と、操作部と、前記情報送受信手段を制御する機器制御手段とを有する給湯装置を備え、前記ＩＣタグは使用者と一体的に設け、使用者が前記操作部に制御指令のトリガをかける時に前記給湯装置と前記情報を送受信する構成とした給湯装置システムとすることにより、使用者が操作部に制御指令のトリガをかける時に給湯装置への使用者の特定を行う情報を送受信することができるので、対応する給湯装置は、使用者が操作する毎に使用者の好みの設定温度等を簡単に調整でき、使用者の操作性の向上が図れるものである。
【００１４】
第２の発明は、特に、第１の発明において、給湯装置はカレンダー機能部と制御指令のトリガによりＩＣタグ内の情報を収集して記憶する機器記憶手段とを有し、ＩＣタグ内の記憶手段は制御履歴の情報を記憶するようにしたことにより、使用者の操作のパターンや習慣を間接的に把握できる。また、ＩＣタグ内の記憶手段に制御履歴を記憶することによって、ＩＣタグを有する別の給湯装置システムでも同様の制御を実行することができる。
【００１５】
第３の発明は、特に、第１または第２の発明において、ＩＣタグの使用者の情報を機器制御手段に登録する登録手段を有することにより、給湯装置を使用する使用者の情報を登録し、登録された使用者毎にその設定温度に自動的に調整することができる。
【００１６】
第４の発明は、特に、第１〜第３のいずれか１つの発明において、給湯装置は、サービス会社の情報提供サーバーと情報通信手段を介してネットワークで接続することにより、給湯装置を操作する毎に記憶された使用者の制御履歴の情報を外部の情報提供サーバーと通信するので、使用者にさらに便利で快適な給湯装置の制御を実現することができる。
【００１７】
第５の発明は、特に、第１〜第４のいずれか１つの発明における給湯装置システムの機能の少なくとも一部をコンピュータに実行させるためのプログラムとすることにより、プログラムであるので、電気・情報機器、コンピュータ、サーバー等のハードリソースを協働させて給湯装置システムの少なくとも一部を容易に実現することができる。また、記録媒体に記録したり通信回線を用いてプログラムを配信したりすることで、プログラムの配布・更新やそのインストール作業が簡単にできる。
【００１８】
以下、本発明の実施の形態について、図面を参照しながら説明する。なお、本実施の形態によって本発明が限定されるものではない。
【００１９】
（実施の形態１）
図１は、本発明の実施の形態１における給湯装置システムの全体構成を示している。
【００２０】
図に示すように、使用者１にＩＣタグ２を常に接触する形で一体的に設けている。ＩＣタグ２は、無線により所定の情報を通信する通信手段３と、前記情報を記憶する記憶手段４と、前記通信手段３と記憶手段４を制御する制御手段５とを有する。なお、ＩＣタグ２は、通信する無線の電力により電源を供給し特定の電源や電池を必要とはしないパッシブ型のＩＣタグである。
【００２１】
給湯装置６は、給湯装置を操作するための台所に設置される台所リモコン８と、浴槽内に設置され操作部１２と表示部１３を設けた風呂リモコン１１と、給湯の燃焼制御を行う燃焼制御部１４とを有している。台所リモコン８は、前記ＩＣタグ２と情報を送受信する情報送受信手段７と、台所リモコン８を操作する操作部９と、給湯装置の状態を表示する表示部１０と、台所リモコン８と風呂リモコン１１と燃焼制御部１４との間で通信を行う通信インターフェース１５と、前記操作部９により制御され前記情報送受信手段７等の各手段を制御する機器制御手段１６とを有する。
【００２２】
ここで、ＩＣタグ２の記憶手段４内の情報は、使用者が給湯装置６の台所リモコン８の操作部９を操作し、制御指令のトリガをかける時に、台所リモコン８の情報送受信手段７よりＩＣタグ２の通信手段３へ制御情報を乗せた搬送電波を送信する。ＩＣタグ２は通信手段３がこの搬送電波を受信し、この電波によって供給される電力で制御手段５が起動され、記憶手段４に記憶された使用者の情報を搬送電波で反射して送信する。また、制御情報を新たに記憶手段４に記憶する。
【００２３】
この一連の操作は、使用者に一体的に設けたＩＣタグ２が操作部９を操作する毎に実行される。例えば、使用者が、設定温度４０度とした時にはＩＣタグ２の記憶手段４には設定温度４０度の情報が記憶される。
【００２４】
また、台所リモコン８に情報送受信手段７を設けているが、風呂リモコン１１側に設けてもよいし、両方に設けてもよくその構成に限定されない。
【００２５】
また、使用者に一体的に設けられるＩＣタグ２は、リストバンドや、指輪、体内への埋め込み等、その形態も限定されないものである。
【００２６】
以上のように構成された給湯装置システムにおいて、ＩＣタグ２は、使用者が操作部９に制御指令のトリガをかける時に給湯装置６と情報を送受信することにより、使用者の好みの設定温度等を簡単に実現することができ、使用者の操作性の向上が図れるものである。
【００２７】
（実施の形態２）
図２は、本発明の実施の形態２における給湯装置システムの全体構成を示すものである。実施の形態１と同一要素については同一符号を付して説明を省略する。
【００２８】
本実施の形態においては、給湯装置６の機器制御手段１６にはカレンダー機能部１７を、台所リモコン８には制御指令のトリガによりＩＣタグ２内の情報を収集して記憶する機器記憶手段１８を設けたものである。
【００２９】
これにより、使用者は、操作部９の制御指令のトリガによりＩＣタグ２内の情報を、情報送受信手段７を介して収集し、機器記憶手段１８に記憶する。この使用者の使用履歴はカレンダー機能部１７による時間情報と使用者の操作のパターンとの情報を併せて生活リズムを間接的に把握することができる。
【００３０】
例えば、ある使用者がお年寄りで、夕方６時ごろの使用頻度が高い場合は、その時間帯に合わせて設定温度や水量をあらかじめ設定しておけば、無駄なエネルギーの消費を抑え、すぐに入浴をすることも可能となり、その利便性は向上する。また、ＩＣタグ２内の記憶手段４に制御履歴を記憶することによって、ＩＣタグ２を有する別の給湯装置システムでも同様の制御を実行することができ、外出先でも普段設定している快適な入浴を実現することも可能となる。
【００３１】
（実施の形態３）
図３は、本発明の実施の形態３における給湯装置システムの全体構成を示すものである。実施の形態１、２と同一要素については同一符号を付して説明を省略する。
【００３２】
本実施の形態においては、ＩＣタグ２の使用者の情報を機器制御手段１６に登録する登録手段１９を有するものである。登録手段１９への登録方法としては、台所リモコン８の操作部９に登録ボタン（図示せず）を設けて、登録ボタン押下とともにＩＣタグ２の使用者に関する情報を登録する。操作部９には、使用者の個人情報（年齢、性別等）を入力してもよいし、別の書込み装置でＩＣタグ２に書き込んでもよい。
【００３３】
このように、記憶手段４に記憶された個人情報は、情報送受信手段７を介して使用者毎に機器記憶手段１８に登録されているので、使用者毎に設定された設定温度に自動的に調整することが可能となる。
【００３４】
（実施の形態４）
図４は、本発明の実施の形態４における給湯装置システムの全体構成を示すものである。実施の形態１〜３と同一要素については同一符号を付して説明を省略する。
【００３５】
本実施の形態においては、給湯装置６は、サービス会社２０の情報提供サーバー２１と情報通信手段２２を介して所定の手順によるネットワークで接続している。また、情報通信手段２２で収集した使用者の情報を蓄積する蓄積手段２３を有する。
【００３６】
これにより、台所リモコン８の操作部９で操作する毎に記憶された使用者の制御履歴の情報は、情報通信手段２２を介して外部サービス会社２０の情報提供サーバー２１の蓄積手段２３に記憶される。外部のサービス会社２０との情報の通信はインターネットを介して行い、認証や、情報の暗号化など所定の手順でサービス提供の確認が取れた後、使用者の制御履歴の情報を情報提供サーバー２１の蓄積手段２３に記憶される。サービス会社２０は、使用者の個人情報や、給湯装置システムの制御履歴に応じて使用者に有益な制御方法を提供したり、給湯制御の実行プログラムを変更したりすることもできる。
【００３７】
また、情報送受信手段７を介してＩＣタグ２の記憶手段４に情報提供サーバー２１からの給湯装置６の制御実行プログラムを記憶することも可能であり、使用者にさらに便利で快適な給湯装置の制御を実現することができる。
【００３８】
なお、各実施の形態１〜４で説明した各手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００３９】
本発明の給湯装置システムおよびそのプログラムは、使用者が操作する毎に使用者の好みの設定温度等を簡単に調整でき、使用者の操作性の向上が図れるものであるので、さまざまなエネルギー媒体の給湯装置への応用や、リモコンなどに組み込まれることによって、ＩＣタグを利用の拡大とリモコンの操作性の向上が可能となる。
【図面の簡単な説明】
【００４０】
【図１】本発明の実施の形態１における給湯装置システムの全体構成図
【図２】本発明の実施の形態２における給湯装置システムの全体構成図
【図３】本発明の実施の形態３における給湯装置システムの全体構成図
【図４】本発明の実施の形態４における給湯装置システムの全体構成図
【図５】従来の給湯装置システムの構成図
【符号の説明】
【００４１】
１  使用者
２  ＩＣタグ
３  通信手段
４  記憶手段
５  制御手段
６  給湯装置
７  情報送受信手段
９  操作部
１６  機器制御手段
１７  カレンダー機能部
１８  機器記憶手段
１９  登録手段
２０  サービス会社
２１  情報提供サーバー
２２  情報通信手段
【図１】
2006090629.tif 000003
【図２】
2006090629.tif 000004
【図３】
2006090629.tif 000005
【図４】
2006090629.tif 000006
【図５】
2006090629.tif 000007